(57)【要約】【課題】背板の屈曲角度を好みの角度に設定した状態で使用できるようにする。【解決手段】背フレーム１と、背フレーム１に上部２ａ又は下部２ｂが固定され、下部２ｂ又は上部２ａが前後方向に屈曲可能な背板２と、背板２の屈曲角度を変化させ且つ屈曲角度を固定する屈曲角度調整機構３を備えている。【選択図】　　　　図１
2004000434.tif 000002
【特許請求の範囲】
【請求項１】
背フレームと、前記背フレームに上部又は下部が固定され、下部又は上部が前後方向に屈曲可能な背板と、前記背板の屈曲角度を変化させ且つ屈曲角度を固定する屈曲角度調整機構を備えることを特徴とする椅子の背もたれ構造。
【請求項２】
前記背板の下部を前記背フレームに固定すると共に、前記背板の上部を前後方向に屈曲可能にし、前記屈曲角度調整機構を、下端が前記背フレームに連結されて当該連結点を中心に上端が前後方向に傾動可能な制御リンクと、前記制御リンクの上端を前記背板の上部にこれらの相対変位を吸収しながら連結する連結手段と、前記背フレームと前記制御リンクの間の前記連結点から離れた位置に設けられて前記背フレームと前記制御リンクとの間の距離を変化させる変位手段を備えて構成したことを特徴とする請求項１記載の椅子の背もたれ構造。
【請求項３】
前記連結手段は、前記制御リンクの上端に設けられた円周部と、前記円周部に相対回転自在且つ軸方向に摺動自在な連結部と、前記連結部を前記背板に上下方向に回転自在に取りつける軸支手段を備え、前記連結部は前記円周部から脱落しない程度の長さを有していることを特徴とする請求項２記載の椅子の背もたれ構造。
【請求項４】
前記変位手段は、前記背フレームと前記制御リンクのいずれか一方に設けられたアジャストスクリュウと、いずれか他方に設けられ前記アジャストスクリュウが挿入されるねじ孔と、前記アジャストスクリュウと前記ねじ孔のうち少なくとも一方の角度を上下方向に変化させる角度変化手段を備えたことを特徴とする請求項２又は３記載の椅子の背もたれ構造。
【請求項５】
前記背板にスリットを形成することで前記下部又は上部を前後方向に屈曲可能にしたことを特徴とする請求項１から４のいずれかに記載の椅子の背もたれ構造。
【請求項６】
前記連結手段は、前記制御リンクの上端に設けられて軸方向に伸びる凸部と、前記背板の背面に設けられ且つ前記凸部が下方から挿入される挿入口が形成された凸部受部と、前記凸部受部の上方に設けられ、前記凸部の先端の動きを許容する空間を備えたことを特徴とする請求項１から５のいずれかに記載の椅子の背もたれ構造。
【請求項７】
前記背板の上端にサポート部材を回転可能に取り付けると共に、前記サポート部材と前記背フレームをリンクによって連結し、前記背板の屈曲に連動して前記サポート部材を回転させることを特徴とする請求項１から６のいずれかに記載の椅子の背もたれ構造。
【発明の詳細な説明】
【０００１】
【発明の属する技術分野】
本発明は、椅子の背もたれ構造に関する。
【０００２】
【従来の技術】
従来、着座者の体重の掛け方に応じて背板を屈曲させる椅子の背もたれ構造が知られている（ＥＰ０５９１９３３Ａ１）。かかる背もたれ構造を、図４１に示す。背フレーム１０１には、弾性変形可能な背板１０２がシャフト１０３によって軸支されている。背フレーム１０１には長孔１０４が設けられており、背板１０２の下端に取り付けられたピン１０５を長孔１０４に挿入することで、背板１０２の下端を背フレーム１０１に変位可能に連結している。また、背フレーム１０１と背板１０２の間にはスプリング１０６が設けられている。
【０００３】
背フレーム１０１は座板１０７に傾動可能に取り付けられており、図示しないスプリング機構によって常に起立する方向に付勢されている。スプリング機構の付勢力に抗して背フレーム１０１を傾動させるので、着座者が背板１０２に軽く寄り掛かる場合には背フレーム１０１は小さくリクライニングする。一方、着座者が背板１０２に強く寄り掛かった場合には、背フレーム１０１は大きくリクライニングする。
【０００４】
着座者が背板１０２に寄り掛かると、背板１０２の上部と下部とでは上部の方がより強く押されるので、背板１０２は上部を後方に倒すように傾動する（二点鎖線）。このとき、背板１０２の下端はピン１０５によって背フレーム１０１に連結されているので、前方には移動することができず、長孔１０４内を上方に移動する。このため、背板１０２の中央下寄り部分は前方に突出し、背板１０２全体として屈曲する。
【０００５】
着座者が背板１０２に軽く寄り掛かると背板１０２は小さく屈曲し、強く寄り掛かると背板１０２は大きく屈曲する。即ち、着座者が背板１０２に寄り掛かる強さに応じて背板１０２の屈曲角度が変化する。
【特許文献１】
ＥＰ０５９１９３３Ａ１
【０００６】
【発明が解決しようとする課題】
しかしながら、上述の背もたれ構造では、着座者が寄り掛かる強さに応じて背板１０２の屈曲角度が変化するため、着座者が強く寄り掛かって背フレーム１０１を大きくリクライニングさせると、背板１０２が大きく屈曲してしまう。このため、背板１０２を小さく屈曲させた状態で背フレーム１０１を大きくリクライニングさせることができなかった。
【０００７】
また、着座者が軽く寄り掛かっており、背フレーム１０１のリクライニングの角度が小さな場合には、背板１０２を大きく屈曲させることができない。このため、背板１０２を大きく屈曲させた状態で背フレーム１０１を小さくリクライニングさせることができなかった。
【０００８】
つまり、背板１０２の屈曲角度を好みの角度に設定した状態で椅子を使用することができなかった。
【０００９】
本発明は、背板の屈曲角度を好みの角度に設定した状態で椅子を使用できる椅子の背もたれ構造を提供することを目的とする。
【００１０】
【課題を解決するための手段】
かかる目的を達成するために請求項１記載の椅子の背もたれ構造は、背フレームと、背フレームに上部又は下部が固定され、下部又は上部が前後方向に屈曲可能な背板と、背板の屈曲角度を変化させ且つ屈曲角度を固定する屈曲角度調整機構を備えるものである。
【００１１】
したがって、屈曲角度調整機構を操作して背板の屈曲角度を好みの角度に調整することができる。背板の屈曲角度を好みの角度に調整した後、屈曲角度調整機構を操作して屈曲角度を固定、即ち屈曲角度が変化しないようにする。着座者が背板に強く寄り掛かっても、屈曲角度調整機構によって背板の屈曲角度が維持される。
【００１２】
また、請求項２記載の背もたれ構造は、背板の下部を背フレームに固定すると共に、背板の上部を前後方向に屈曲可能にし、屈曲角度調整機構を、下端が背フレームに連結されて当該連結点を中心に上端が前後方向に傾動可能な制御リンクと、制御リンクの上端を前記背板の上部にこれらの相対変位を吸収しながら連結する連結手段と、背フレームと制御リンクの間の連結点から離れた位置に設けられて背フレームと制御リンクとの間の距離を変化させる変位手段を備えて構成したものである。
【００１３】
したがって、変位手段を操作して背フレームと制御リンクの距離を変化させると、背フレームに対して制御リンクが傾動する。制御リンクの上端は背板の上部に連結されているので、制御リンクの傾動によって背板の屈曲角度が変化する。このとき、制御リンクの上端の移動量と背板の制御リンク連結部分の移動量が相違するため、制御リンクの上端と背板の制御リンク連結部分との間に相対変位が生じるが、この相対変位を連結部分が吸収し、制御リンクの傾動と背板の屈曲をスムーズにする。
【００１４】
また、請求項３記載の椅子の背もたれ構造は、連結手段は、制御リンクの上端に設けられた円周部と、円周部に相対回転自在且つ軸方向に摺動自在な連結部と、連結部を背板に上下方向に回転自在に取りつける軸支手段を備え、連結部は円周部から脱落しない程度の長さを有しているものである。
【００１５】
したがって、円周部に対して連結部例えばキャップが軸方向に摺動することで、制御リンクの軸方向の相対変位を吸収する。また、背板に対して連結部が上下方向に回転（角度変化）することで、制御リンクと背板の上下方向の角度変化を吸収する。さらに、円周部に対して連結部が回転することで、制御リンクと背板の水平方向の角度変化を吸収する。
【００１６】
さらに、請求項４記載の椅子の背もたれ構造は、変位手段は、背フレームと制御リンクのいずれか一方に設けられたアジャストスクリュウと、いずれか他方に設けられアジャストスクリュウが挿入されるねじ孔と、アジャストスクリュウとねじ孔のうち少なくとも一方の角度を上下方向に変化させる角度変化手段を備えたものである。
【００１７】
したがって、アジャストスクリュウを回転操作させると、ねじ孔へのねじ込み量が変化する。このため、背フレームと制御リンクの連結点から離れた位置における背フレームと制御リンクの間の距離が変化し、制御リンクの傾動角度が変化して背板の屈曲角度が変化する。制御リンクの傾動角度と背板の屈曲角度の変化に伴い、変位手段のアジャストスクリュウとねじ孔の対向角度も変化するが、この変化を角度変化手段が吸収する。
【００１８】
また、請求項５記載の椅子の背もたれ構造は、背板にスリットを形成することで下部又は上部を前後方向に屈曲可能にしたものである。したがって、背板の剛性はスリットとその延長線上で減少し、背板の下部又は上部を前後方向に屈曲しやすくなる。
【００１９】
また、請求項６記載の椅子の背もたれ構造は、連結手段が、制御リンクの上端に設けられて軸方向に伸びる凸部と、背板の背面に設けられ且つ凸部が下方から挿入される挿入口が形成された凸部受部と、凸部受部の上方に設けられ、凸部の先端の動きを許容する空間を備えている。
【００２０】
したがって、凸部受部に対して凸部が軸方向に移動することで、制御リンクの軸方向の相対変位を吸収する。また、挿入口に対して凸部がみそすり運動をすることで、制御リンクと背板の上下方向の角度変化及び左右方向の角度変化を吸収する。さらに、凸部受部に対して凸部が回転することで、制御リンクと背板の水平方向の角度変化を吸収する。
【００２１】
さらに、請求項７記載の椅子の背もたれ構造は、背板の上端にサポート部材を回転可能に取り付けると共に、サポート部材と背フレームをリンクによって連結し、背板の屈曲に連動してサポート部材を回転させるものである。
したがって、着座者が背板に寄り掛かりながら頭部等を起こす姿勢をとっても、頭部等をサポート部材でサポートすることができる。
【００２２】
【発明の実施の形態】
以下、本発明の構成を図面に示す最良の形態に基づいて詳細に説明する。
【００２３】
図１〜図１２に、本発明を適用した椅子の背もたれ構造の実施形態の一例を示す。椅子の背もたれ構造（以下、単に背もたれ構造という）は、背フレーム１と、背フレーム１に上部２ａ又は下部２ｂが固定され、下部２ｂ又は上部２ａが前後方向に屈曲可能な背板２と、背板２の屈曲角度を変化させ且つ屈曲角度を固定する屈曲角度調整機構３を備えている。本実施形態では、背板２の下部２ｂを背フレーム１に固定すると共に、背板２の上部２ａを前後方向に屈曲可能にしている。また、屈曲角度調整機構３を、下端が背フレーム１に連結されて当該連結点４を中心に上端が前後方向に傾動可能な制御リンク５と、制御リンク５の上端を背板２の上部２ａにこれらの相対変位を吸収しながら連結する連結手段６と、背フレーム１と制御リンク５の間の連結点４から離れた位置に設けられて背フレーム１と制御リンク５との間の距離を変化させる変位手段７を備えて構成している。
【００２４】
背フレーム１は、座受け部材８に傾動可能に取り付けられている。背フレーム１には背板２の下部２ｂが固定されている。
【００２５】
背板２は、例えば可とう性の材料で構成されている。本実施形態では、例えばポリプロピレン、ナイロン等の樹脂によって背板２を成形している。ただし、背板２の材料となる樹脂はこれらに限るものではなく、また、樹脂以外の材料によって背板２を成形しても良い。背板２の両側部は前方に向けて湾曲しているが、背板２にスリット１０を形成することで、下部２ｂに対して上部２ａを前後方向に屈曲しやすくしている。本実施形態では、スリット１０をＵ字形状にしているが、スリット１０の形状はこれに限るものではなく、例えば上下が逆のＵ字形状や、Ｈ字形状や、スペードのマークの外周の様でスペードのマークの下端はつながっている形状にしても良く、その他の形状でも良い。なお、背板２のスリット１０の上側部分は、舌片部２ｃとなっている。
【００２６】
また、スリット１０の形状を直線形状にしても良い。この場合、例えば図３４に示すように２本のスリット１０を設けても良く、または、図３５に示すように１本のスリット１０を設けても良く、さらには、３本以上のスリット１０を設けても良い。
【００２７】
なお、スリット１０の形状をＵ字形状にして舌片部２ｃを形成した場合には、背板２を屈曲させたときに舌片部２ｃを突出させることができ、突出させた舌片部２ｃで着座者の腰部等をサポートすることができる。また、舌片部２ｃを突出させる必要がない場合や舌片部２ｃを突出させることが好ましくない場合には、スリット１０の形状を直線形状にする。即ち、スリット１０の形状を直線形状にすることで、背板２を屈曲させても背板２の一部が突出することを防止することができる。
【００２８】
制御リンク５は、例えば横断面形状が円形のパイプである。制御リンク５は、例えば２本設けられており、左右の制御リンク５は２つのブラケット１１，１２によって連結されている。下側のブラケット１２の下端には、背フレーム１を両側から挟むように配置される一対の突片１２ａが固着されている。各突片１２ａと背フレーム１に、連結点４となるシャフト（以下、シャフト４という）を貫通させることで、ブラケット１２即ち制御リンク５の下端は背フレーム１に対してシャフト４を中心に回転自在に連結され、上端を前後方向に揺動させることができる。２本の制御リンク５は下から上に向かう途中で離間する方向に湾曲し、上端を背板２の角部近傍に連結手段６によって連結させている。
【００２９】
連結手段６は、例えば図５に示すように、制御リンク５の上端に設けられた円周部１３と、円周部１３に相対回転自在且つ軸方向に摺動自在な連結部１４と、連結部１４を背板２に上下方向に回転自在に取りつける軸支手段１５を備えている。本実施形態では、制御リンク５は横断面形状が円形のパイプであるので、制御リンク５の上端部が円周部１３となっている。また、連結部１４は、例えば円周部１３に相対回転自在且つ軸方向に摺動自在嵌め込まれたキャップ（以下、キャップ１４という）である。ただし、連結部１４としてはキャップに限るものではなく、例えばリング等であっても良い。
【００３０】
軸支手段１５は、キャップ１４に固着された突片１４ａと、この突片１４ａを挟むように配置され、背板２に固着されている一対の突片２ｄと、これらの突片２ｄ、１４ａを貫通する支軸１６より構成されている。
【００３１】
キャップ１４は円周部１３に上から嵌め込まれている。キャップ１４の内径を円周部１３の外径よりも僅かに大きくすることで、円周部１３に対して回転自在且つ軸方向に摺動自在になっている。キャップ１４は円周部１３から脱落しない程度の長さを有している。即ち、制御リンク５の傾動と背板２の屈曲によってキャップ１４が円周部１３に対して摺動しても、キャップ１４が円周部１３から外れることはない。
【００３２】
変位手段７は、背フレーム１と制御リンク５のいずれか一方に設けられたアジャストスクリュウ１７と、いずれか他方に設けられアジャストスクリュウ１７が挿入されるねじ孔１８と、アジャストスクリュウ１７とねじ孔１８のうち少なくとも一方の角度を上下方向に変化させる角度変化手段１９を備えている。本実施形態では、制御リンク５を連結するブラケット１２にアジャストスクリュウ１７を取り付け、背フレーム１に角度変化手段１９を介してねじ孔１８を設けている。
【００３３】
より詳細に説明すると、アジャストスクリュウ１７はスラストベアリング２０を介してブラケット１２に回転自在に且つ脱落不能に取り付けられている。また、角度変化手段１９は、背フレーム１の側板１ｄ，１ｄの間に渡された円筒体２１と、この円筒体２１の両端を背フレーム１の側板１ｄ，１ｄに回転自在に取り付けるねじ２２，２２より構成されている。ねじ２２は、背フレーム１の側板１ｄに形成されたねじ孔１ｅにねじ込まれている。
【００３４】
ねじ孔１８は、円筒体２１の中央を貫通している。ねじ孔１８にねじ込まれたアジャストスクリュウ１７の先端には止め円板２３が取り付けられており、アジャストスクリュウ１７がねじ孔１８から抜けないようになっている。
【００３５】
この背もたれ構造では、以下の通り、背板２の屈曲角度を好みの角度に調整することができる。
【００３６】
いま、図１及び図６に示す状態から、アジャストスクリュウ１７をねじ孔１８から抜く方向に回転させて伸ばすと、この部分における背フレーム１と制御リンク５との間隔が広がるので、制御リンク５はシャフト４を中心に後方に向けて倒れる（後方に傾動する）。このため、制御リンク５の上端が背板２の上部２ａを後方に引っ張り、背板２を弾性変形させて屈曲させる（図２，図７）。
【００３７】
アジャストスクリュウ１７の回転操作を止めると、背フレーム１と制御リンク５の間隔は変化しなくなるので、制御リンク５の傾動角度は一定に維持され、したがって、背板２の屈曲角度を一定に維持することができ、この状態で椅子を使用することができる。
【００３８】
また、アジャストスクリュウ１７を上述の操作と反対側に回転させると、アジャストスクリュウ１７がねじ孔１８にねじ込まれて短くなり、この部分における背フレーム１と制御リンク５との間隔が狭くなる。このため、制御リンク５はシャフト４を中心に前方に向けて回転して起きあがる（前方に傾動する）。これにより、制御リンク５による背板２の方向への引っ張り力が減少するので、背板２の屈曲角度が減少する。即ち、図１及び図６に示すように、背板２の屈曲角度を元に戻すことができる。
【００３９】
本発明の背もたれ構造では、着座者が背板２に寄り掛かり、背板２を座受け部材８に対して傾動させた場合でも、換言すると、背もたれ全体をリクライニングさせた場合でも、アジャストスクリュウ１７を回転させるような力は発生しないので、使用中に背板２の屈曲角度が変化してしまうことはない。
【００４０】
つまり、着座者はアジャストスクリュウ１７の操作によって背板２の屈曲角度を好みの角度に調整することができ、背板２を好みの角度に屈曲させた状態で椅子を使用することができる。この結果、椅子の使い勝手を良くすることができる。また、アジャストスクリュウ１７を回転させることは容易であり、調整作業も簡単である。このことからも、椅子の使い勝手を良くすることができる。
【００４１】
背板２の屈曲角度を大きくした状態で椅子を使用することで、例えば背フレーム１を傾動させて背もたれ全体をリクライニングさせた際、背筋をより伸ばすことができ、背のストレッチ効果をより得ることができる。
【００４２】
なお、座受け部材８の後端と背フレーム１の途中を連結するガススプリング２４を伸縮させることで、背フレーム１を座受け部材８に対して傾動させてリクライニングすることが可能になる。即ち、ガススプリング２４は座受け部材８及び背フレーム１とともに三角形状のリンク機構を構成しており、ガススプリング２４の長さ変化が可能な場合には背フレーム１は傾動可能であるが、ガススプリング２４の長さを固定した場合には背フレーム１を傾動させることができなくなる。ガススプリング２４の長さ固定やその解除は、レバー２５の操作によって行われる。このレバー２５は背板２の側縁の下方空間に配置されており、着座者が前方にかがむことがなく、背中を背板２に着けたままの状態で手を下ろすだけで掴むことができ、そのまま操作することができる。このため、レバー操作を行いやすく、しかもレバー２５を操作しながら背中で背板２を押す動作を行いやすくなる。また、ガススプリング２４のバルブ操作部から椅子の左右方向にリンク２６を伸ばせば当該リンク２６に直接レバー２５を取り付けることができ、合理的な配置を採用することができる。即ち、ガススプリング２４やリンク２６やレバー２５等を予め組み付けてユニット化した状態で、椅子に組み付けることが可能になり、椅子の組み付け作業を容易にすることができる。
【００４３】
アジャストスクリュウ１７を操作して制御リンク５の傾動角度を変化させると、アジャストスクリュウ１７とねじ孔１８の高さ関係が変化するので、これらの対向角度が変化する。本発明では、アジャストスクリュウ１７とねじ孔１８の高さ関係の変化に応じて角度変化手段１９の円筒体２１が回転し、アジャストスクリュウ１７とねじ孔１８を常に一直線上に配置することができる。即ち、角度変化手段１９がアジャストスクリュウ１７とねじ孔１８の対向角度の変化を吸収するので、アジャストスクリュウ１７を常にスムーズに回転させることができる。このため、アジャストスクリュウ１７を軽い力で操作することができ、使い勝手に優れている。
【００４４】
制御リンク５を傾動させて背板２の屈曲角度を調整する際、制御リンク５の上端の移動量と背板２の制御リンク５を連結している部分（リンク連結部分）の移動量が相違するため、制御リンク５の上端と背板２のリンク連結部分との間に相対変位が生じるが、この相対変位を連結手段６が吸収する。即ち、制御リンク５の軸方向の相対変位は、円周部１３に対してキャップ１４が軸方向に摺動することで吸収することができる。また、制御リンク５と背板２の上下方向の角度変化は、軸支手段１５の支軸１６を中心に背板２とキャップ１４の相対角度を変化させることで吸収することができる。さらに、制御リンク５と背板２の水平方向の角度変化は、円周部１３に対してキャップ１４が回転することで吸収することができる。
【００４５】
このように、制御リンク５の上端と背板２のリンク連結部分との間に発生する相対変位を連結手段６によって吸収することができるので、制御リンク５を傾動させて背板２を屈曲させる機構を成立させることができる。また、制御リンク５と背板２の連結部分に無理な力が作用することもないので、スムーズに動かすことができ、軽い力で背板２を屈曲させることができ、使い勝手や使い心地が良くなる。さらに、制御リンク５と背板２の連結部分に無理な力が作用するのを防止できるので、応力集中による部材、部品の破損や摩耗を防いで、製品寿命を長くすることができる。また、各部材・部品の材料の選択の自由度や、摺動・接触する部材・部品間での材料の組合せの自由度を向上させることができる。
【００４６】
また、連結手段６は、円周部１３に対してキャップ１４を回転させることで、制御リンク５と背板２の水平方向の角度変化を吸収するようにしているので、背板２の平面視において、背板２の中央を後方に突出させるように背板２を湾曲させることが容易になる。即ち、着座者が背板２に寄り掛かると、背中の形状にあわせて背板２を湾曲させやすくなる。このため、座り心地を更に良くすることができる。
【００４７】
なお、図１〜図３，図６，図７には図示を省略しているが、背板２の前面にはクッション材２７が取り付けられている。クッション材２７は袋状のカバー２８内に収納されている。カバー２８の裏面の上端縁にはポケット状の折返し部２８ａが、また、カバー２８の裏面の背板２のスリット１０に対向する位置には、上方に開口するポケット部２８ｂが設けられている。また、ポケット部２８ｂの形状は、スリット１０及び舌片部２ｃの形状に対応する様な形状となっている。折返し部２８ａ内には、弾性変形可能な中敷きプレート２９が入れられており、カバー２８の上端縁の形状を整えると共に、折返し部２８ａがしわになったり折れ曲がるのを防止して折返し部２８ａをめくりやすくしている。
【００４８】
クッション材２７を背板２に取り付けるには、まず最初にカバー２８のポケット部２８ｂを背板２のスリット１０に通して背板２の舌片部２ｃに下から被せた後、折返し部２８ａをめくりながら背板２の上端縁に被せれば良い。背板２の上端縁は上に向いており、背板２の舌片部２ｃは下に向いているので、カバー２８を上下に広げるようにして背板２に取り付けることができる。また、カバー２８の折返し部２８ａを背板２の上端縁に被せ、ポケット部２８ｂを舌片部２ｃに被せているので、カバー２８が背板２に対して左右方向にずれることもない。
【００４９】
このように、カバー２８の折返し部２８ａを上から被せ、ポケット部２８ｂをスリット１０に通して下から被せるだけで、クッション材２７を背板２に取り付けることができるので、取付作業が大変簡単である。しかも、上下方向にも左右方向にも正確な位置にクッション材２７を取り付けることができる。
【００５０】
即ち、従来の方法では、クッション材２７を収納するカバー２８を背板２に取り付ける場合、カバー２８を背板２にピンによって止めていたり、面ファスナ（所謂マジックテープ）によって止めていた。また、カバー２８の上端縁に折返し部２８ａを設けて背板２の上端縁に被せる例はあったが、この場合でもカバー２８の下部２ｂはピンや面ファスナを使用して背板２に止めていた。したがって、従来の方法では、クッション材２７を収納したカバー２８を背板２に取り付けるのに手間が掛かっており、作業性に劣っていた。これらに対し、本発明では、ピンや面ファスナを使用して止めるという煩わしい作業をする必要がなく、また、ピンや面ファスナを位置決めしたり、カバー２８自体を背板に位置決めするような作業を行う必要もないので、作業性に大変優れており、製造コストを下げることができる。
【００５１】
また、椅子の後方からカバー２８の折返し部２８ａとポケット部２８ｂが見えるので、背板２の色とカバー２８の色を相違させておくことで、折返し部２８ａとポケット部２８ｂがデザイン上のワンポイントとなり、従来にないデザインにすることができ、他の種類の椅子との差別化を図ることができる。
【００５２】
また、カバー２８を背板２に取りつけた状態で、ポケット部２８ｂを携帯電話等の小物類を入れておくことのできるポケットとして使用することもできる。
【００５３】
なお、上述のようなクッション材２７の取り付け構造は、図１に示す構造の椅子に限るものではなく、スリット１０を設けて舌片部２ｃを形成している背板２であれば適用可能である。
【００５４】
また、上述のポケット部２８ｂは上方に開口していたが、ポケット部２８ｂを下方に開口するようにしても良い。この場合には、スリット１０を上下が逆のＵ字形状にする。
【００５５】
また、ポケット部２８ｂの代わりに、舌片部２ｃに係止できる手段、例えばバンド部等を設けても良いことは勿論である。ポケット部２８ｂの代わりに例えばバンド部を設けた場合には、スリット１０がＵ字形状である場合は勿論のこと、スリット１０を上下が逆のＵ字形状にしてもバンド部を舌片部２ｃに係止してカバー２８を背板２に取り付けることができる。また、図３３に示すように、バンド部２８ｃが舌片部２ｃから抜けるのを防止するために、スリット１０に段部１０ａを設けても良い。
【００５６】
なお、上述の形態は本発明の好適な形態の一例ではあるがこれに限定されるものではなく本発明の要旨を逸脱しない範囲において種々変形実施可能である。
【００５７】
例えば、上述の説明では、連結手段６として円周部１３と、キャップ１４と、軸支手段１５を備えていたが、必ずしもこの構成でなくても良い。例えば、図１３に示す連結手段６のように、制御リンク５の上端にリンク側突片３０を固着して制御リンク５の軸方向に細長い長孔３１を設けると共に、背板２に背板側突片３２を固着してこの背板側突片３２に長孔３１内を貫通するピン３３を取り付けるようにしても良い。ピン３３が長孔３１内を移動することで、制御リンク５の軸方向の相対変位を吸収することができる。また、長孔３１内でピン３３が回転することで、制御リンク５と背板２の上下方向の角度変化を吸収することができる。なお、図１３の例では、制御リンク５側に長孔３１を、背板２側にピン３３を設けているが、制御リンク５側にピン３３を、背板２側に長孔３１を設けても良い。
【００５８】
また、連結手段６は、例えば図３４〜３６に示すように、制御リンク５の上端に設けられて軸方向に伸びる凸部５１と、背板２の背面に設けられ且つ凸部５１が下方から挿入される挿入口５２が形成された凸部受部５３と、凸部受部５３の上方に設けられ、凸部５１の先端の動きを許容する空間５４を備えたものとしても良い。図３６の例では、背板２の背面に箱部５５を形成し、箱部５５の底壁を凸部受部５３、箱部５５の内部空間を空間５４としている。ただし、凸部受部５３と空間５４を形成するためのものとしては、箱部５５に限るものではないことは勿論である。
【００５９】
挿入口５２の概念を図３７に示す。挿入口５２の開口は凸部受部５３の両面について広がっている。このため、挿入口５２に挿入された凸部５１が凸部受部５３に対してみそすり運動を行うのが容易であり、背板２と制御リンク５との間の相対的な動きの自由度が向上する。
【００６０】
制御リンク５を傾動させて背板２の屈曲角度を調整する際、制御リンク５の上端の移動量と背板２の制御リンク５を連結している部分（リンク連結部分）の移動量が相違するため、制御リンク５の上端と背板２のリンク連結部分との間に相対変位が生じるが、この相対変位を連結手段６が吸収する。即ち、制御リンク５の軸方向の相対変位は、凸部受部５３に対して凸部５１が軸方向に移動することで吸収することができる。また、制御リンク５と背板２の相対的な角度変化は、凸部受部５３に対して凸部５１がみそすり運動を行うことで吸収することができる。さらに、制御リンク５と背板２の水平方向の角度変化は、凸部受部５３に対し凸部５１が回転することで吸収することができる。
【００６１】
かかるタイプの連結手段６では、図５に示す連結手段６で必要であった軸支手段１５を省略することができる。このため、構造が簡単になり、部品点数を少なくすることができると共に、製造工程を少なくすることができ、動きの自由度が向上するにもかかわらず製造コストを下げることができる。
【００６２】
また、図３８に示すように、連結手段６の箱部５５を背板２にピン５６によって連結し、箱部５５を背板２に対して上下方向に回転自在にしても良い。
【００６３】
また、変位手段７を凹凸長孔構造にしても良い。図１４及び図１５に、変位手段７を凹凸長孔構造にした例を示す。この変位手段７では、制御リンク５又はブラケット１２に、凹凸を有する長孔３４が形成されているプレート３５を取り付けると共に、背フレーム１にピン３６を取り付け、ピン３６を凹凸を有する長孔３４に通す構成にしても良い。また、この構成では、プレート３５の下端近傍に長孔３７を設けておき、この長孔３７にシャフト４を貫通させるようにしている。
【００６４】
制御リンク５の傾動角度を変える場合には、制御リンク５を持ち上げて凹凸を有する長孔３４の凹部３４ａからピン３６を外し、制御リンク５の傾動角度を変えてピン３６を隣の凹部３４ａに対向させ、この状態で制御リンク５を降ろすようにする。即ち、凹凸を有する長孔３４に対するピン３６の位置を換えることで、背板２の屈曲角度を調整することができる。制御リンク５等の重さによってピン３６が凹部３４ａから外れるのを防止することができるので、制御リンク５の傾動角度を固定することができ、使用中に背板２の屈曲角度を固定することができる。
【００６５】
なお、図１４，図１５の例では、凹凸を有する長孔３４の２箇所に凹部３４ａを設けて制御リンク５の傾動角度を２段階調整可能にしていたが、凹部３４ａの数は２箇所に限るものではないことは勿論である。凹部３４ａの数を増やすことで、選択できる制御リンク５の傾動角度の数が増え、背板２の屈曲角度を多段階調整することができる。
【００６６】
また、変位手段７をカム構造にしても良い。図１６及び図１７に、変位手段７をカム構造にした一例を示す。この変位手段７では、ブラケット１２にカムプレート３８を回転自在に取りつけている。カムプレート３８には長孔３８ａが形成されており、長孔３８ａに固定ピン３９を貫通させることでカムプレート３８の回転できる角度を一定の範囲に制限している。図示しない操作レバーを回転操作することで、カムプレート３８を回転させて制御リンク５と背板２の間隔を変化させることができる。カムプレート３８を操作して制御リンク５と背板２の間隔を狭めた場合、即ち、図１７の状態から図１６の状態にカムプレート３８を操作した場合には、背板２は自身の弾性力によって元の形状に戻ろうとして屈曲角度を減少させようとするので、カムプレート３８から背板２が離れることはない。即ち、カムプレート３８による押し広げ力が解除されると、背板２は自身の弾性力によって屈曲角度を減少させる。
【００６７】
カム構造を利用した変位手段７では、カムプレート３８の回転角度を任意角度に固定できるようにすることで、背板２の屈曲角度を無段階調整することができる。また、カムプレート３８のカム部分の形状を多角形にすることで、制御リンク５の傾動角度を段階的に変化させることができるようになり、背板２の屈曲角度を多段階調整することができる。
【００６８】
また、変位手段７をリンク構造にしても良い。図１８及び図１９に、変位手段７をリンク構造にした一例を示す。この変位手段７では、制御リンク５に固着されたブラケット１２と背板２を２本のリンク４０，４１によって連結すると共に、ブラケット１２と背板２の間にリターンスプリング４２を圧縮した状態で取りつけている。図１９の状態では、リターンスプリング４２の付勢力によって２本のリンク４０，４１を伸ばしながら制御リンク５が後方に倒され、背板２の屈曲角度を増加させている。また、リターンスプリング４２の付勢力に抗して２本のリンク４０，４１を縮める（屈曲させる）と、制御リンク５が起立して背板２の屈曲角度が減少する（図１８）。図示しない操作手段によって２本のリンク４０，４１の屈曲角度を変化させてその角度に固定することで、背板２の屈曲角度を調整することができる。
【００６９】
リンク構造を利用した変位手段７では、２本のリンク４０，４１を任意の屈曲角度に固定できるようにすることで、背板２の屈曲角度を無段階調整することができる。
【００７０】
また、上述の説明では制御リンク５の上端を後方に倒すことで背板２の屈曲角度を増加させ、例えばリクライニングの際、着座者の背筋をより伸ばすことができるようにして背のストレッチ効果をより得ることができるようにしていたが、必ずしもこの構成でなくても良い。
【００７１】
例えば、背板２の下部２ｂによって着座者の臀部をサポートするようにしても良い。図２０〜図２３に、背板２の下部２ｂを臀部サポートにする一例を示す。この例では、背フレーム１を上方に延出させ、背フレーム１に背板２の上部２ａを固定している。また、背板２の下部２ｂは前傾可能になっている。制御リンク５の上端は背フレーム１に回転自在に取りつけられている。また、制御リンク５の下端は、背板２の下部２ｂに連結されている。変位手段７の操作によって制御リンク５を前後に傾動させることで、背板２の屈曲角度を変化させて下部２ｂを前後傾動させることができる。例えば、背板２の下部２ｂを前方に向けて傾動させることで下部２ｂが着座者の臀部を支える臀部サポートとなり、着座時のサポート感を得ることができる。
【００７２】
なお、図２４及び図２５に示すように、制御リンク５を省略し、背フレーム１と背板２の間に変位手段７を設けても良い。この場合にも、変位手段７の操作によって背板２の屈曲角度を変化させて下部（臀部サポート）２ｂを前後傾動させることができる。
【００７３】
また、背板２を高さ調整できるようにしても良い。図２６に、背板２を高さ調整可能にした一例を示す。背フレーム１を下側フレーム１ａと上側フレーム１ｂに分割すると共に、下側フレーム１ａの先端に設けた円筒部１ｃに上側フレーム１ｂを挿入し、円筒部１ｃに対して上側フレーム１ｂをスライドさせることで、背板２の高さを調整する。図示しない係止手段によって上側フレーム１ｂを円筒部１ｃに係止することで、背板２を調整後の高さに固定することができる。背板２の高さ調整を行うことで、背板２の屈曲部分の高さを変えることができる。図２７及び図２８に示すように、着座者の体格に応じて背板２の高さ調整を行うことで、座り心地が向上する。なお、図２７は子供が座っている様子を、図２８は大人が座っている様子を示している。
【００７４】
また、図１の例ではサポート部材を設けていなかったが、サポート部材を設けても良い。即ち、背板２の上端にサポート部材を回転可能に取り付けると共に、サポート部材と背フレーム１をリンク４５によって連結し、背板２の屈曲に連動してサポート部材を移動（回転）させるようにしても良い。図２９〜図３２に、サポート部材として例えばヘッドレスト４４を設けた一例を示す。ヘッドレスト４４の下端を背板２の上端に回転可能に取り付け、リンク４５によってヘッドレスト４４の上端を背フレーム１に連結している。リンク４５はヘッドレスト４４及び背フレーム１に対して回転自在に連結されている。図２９及び図３１に示すように、背板２の高さをあまり屈曲させていない状態ではヘッドレスト４４は後方に移動しており、着座者の邪魔にならない。この状態から背板２を屈曲させると、図３０及び図３２に示すようにヘッドレスト４４が前方に移動し、着座者の頭を支えることができる。
【００７５】
なお、リンク４５によって背板２の屈曲に連動して移動するサポート部材としては、着座者の頭部をサポートするヘッドレスト４４に限るものではない。例えば、図３９及び図４０に示すように、着座者の肩甲骨の部分から頭部までをサポートするサポート体５７であっても良い。このサポート体５７は、背板２の上端に回転自在に取り付けられている。例えば、パソコンを操作しながら背板２に寄り掛かると、着座者はモニタを見るために背中の上部を若干起き上がらせるような姿勢になる。このような場合にも、サポート体５７によって着座者の上半身をサポートすることができる。
【００７６】
なお、リンク４５を設けて背板２の屈曲に連動してサポート部材を移動させるようにしていたが、サポート部材の動きを背板２の屈曲に連動させなくても良い。また、サポート部材を背板２に固定しても良い。さらには、背板２の屈曲から独立してサポート部材を操作する操作手段を設け、この操作手段によってサポート部材を移動操作するようにしても良い。
【００７７】
さらに、上述の説明では、背板２を可とう性の材料で構成することで屈曲可能にしていたが、背板２の上部２ａと下部２ｂを別部材にし、ヒンジ等によって上部２ａと下部２ｂを接続することで背板２を屈曲可能にしても良い。なお、ヒンジとしては、例えば、背板２の上部２ａや下部２ｂと一体成形され、且つ上部２ａや下部２ｂの材料となる樹脂よりも柔軟性がある樹脂を使用して形成した樹脂ヒンジの適用が可能であり、また、背板２の上部２ａや下部２ｂと一体成形され、上部２ａや下部２ｂよりも肉厚を薄くすることで柔軟性を持たせたヒンジの適用が可能であり、さらに、背板２の上部２ａや下部２ｂを分割し、これらを連結する蝶番の使用が可能である。
【００７８】
また、図示していないが着座者が容易に操作できる位置に操作レバー等を設け、アジャストスクリュウ１７、カムプレート３８、リンク４０，４１等の変位手段７を前記操作レバー等を用いて操作することも可能である。
【００７９】
また、アジャストスクリュウ１７、カムプレート３８、リンク４０，４１を回転させる電動モータを設け、スイッチ操作によって電動モータを始動・停止させて電動で変位手段７を操作するようにしても良い。
【００８０】
また、変位手段７として流体によって膨張、収縮する袋を設けると共に、この袋を制御リンク５及び背板２に接続し、袋に対して空気等の流体を注入又は吸引することで袋を膨張又は収縮させて制御リンク５を傾動、即ち背板２を屈曲角度を変化させるようにしても良い。
【００８１】
さらに、背板に代えて、座板の屈曲角度を調整するようにしても良い。即ち、座フレームと、座フレームに前部又は後部が固定され、後部又は前部が上下方向に屈曲可能な座板と、座板の屈曲角度を変化させ且つ屈曲角度を固定する屈曲角度調整機構を備える椅子の座構造であっても良い。
【００８２】
また、座フレームに前部が固定され、後部が上下方向に屈曲可能な座板と、座板の屈曲角度を変化させ且つ屈曲角度を固定する屈曲角度調整機構を備える椅子の座構造であって、座板の後部に背板２の下部を固定し、座板の後部を下方に屈曲させると、これに追従して背板２が後方に傾動するようにしても良い。
【００８３】
さらに、上述の説明では、パイプによって制御リンク５を形成し、制御リンク５とブラケット１２とを別部材にしているが、これらを一体成形しても良い。即ち、制御リンク５と、ブラケット１２と、突片１２ａを例えばアルミダイキャスト等の金属ダイキャスト等によって一体成形しても良い。つまり、上端に円周部１３を形成し、ブラケット１２の位置にアジャストスクリュウ１７を貫通させる孔と突片１２ａを形成した金属ダイキャストの一体成形品であっても良い。また、金属ダイキャストによる一体成形品に限らず、樹脂製の一体成形品や金属製プレスによる一体成形品としても良い。
【００８４】
【発明の効果】
以上説明したように、請求項１記載の椅子の背もたれ構造では、背フレームと、背フレームに上部又は下部が固定され、下部又は上部が前後方向に屈曲可能な背板と、背板の屈曲角度を変化させ且つ屈曲角度を固定する屈曲角度調整機構を備えているので、背板の屈曲角度を好みの角度に調整した状態で使用することができる。このため、椅子の座り心地や使い勝手を向上させることができる。
【００８５】
また、請求項２記載の背もたれ構造では、背板の下部を背フレームに固定すると共に、背板の上部を前後方向に屈曲可能にし、屈曲角度調整機構を、下端が背フレームに連結されて当該連結点を中心に上端が前後方向に傾動可能な制御リンクと、制御リンクの上端を前記背板の上部にこれらの相対変位を吸収しながら連結する連結手段と、背フレームと制御リンクの間の連結点から離れた位置に設けられて背フレームと制御リンクとの間の距離を変化させる変位手段を備えて構成しているので、変位手段の操作によって背板の屈曲角度を調整することができ、簡単な調整操作で背板の屈曲角度を好みの角度に調整することができる。また、制御リンクの上端と背板の制御リンク連結部分との間に生じる相対変位を連結手段によって吸収することができるので、機構を成立させることができると共に、制御リンクの傾動と背板の屈曲をスムーズにすることができる。
【００８６】
また、請求項３記載の椅子の背もたれ構造では、連結手段は、制御リンクの上端に設けられた円周部と、円周部に相対回転自在且つ軸方向に摺動自在な連結部と、連結部を背板に上下方向に回転自在に取りつける軸支手段を備え、連結部は円周部から脱落しない程度の長さを有しているので、制御リンクの軸方向の相対変位、制御リンクと背板の上下方向の角度変化、制御リンクと背板の水平方向の角度変化をそれぞれ良好に吸収することができる。
【００８７】
さらに、請求項４記載の椅子の背もたれ構造では、変位手段は、背フレームと制御リンクのいずれか一方に設けられたアジャストスクリュウと、いずれか他方に設けられアジャストスクリュウが挿入されるねじ孔と、アジャストスクリュウとねじ孔のうち少なくとも一方の角度を上下方向に変化させる角度変化手段を備えているので、アジャストスクリュウの回転操作によって背板の屈曲角度を調整することができる。また、背板の屈曲角度の変化に伴い、変位手段のアジャストスクリュウとねじ孔の対向角度も変化するが、この変化を角度変化手段が吸収することができるので、変位手段に無理な力が発生することがなく、軽い力で操作することができる。
【００８８】
また、請求項５記載の椅子の背もたれ構造では、背板にスリットを形成することで下部又は上部を前後方向に屈曲可能にしているので、簡単な構成で背板を前後方向に屈曲させることができる。この場合、スリットの形状をＵ字形状にすれば背板の一部を突出させてサポート部を形成することができる。また、スリットの形状を直線形状にすることで、背板の一部が突出するのを防止することができる。
【００８９】
また、請求項６記載の椅子の背もたれ構造では、連結手段が、制御リンクの上端に設けられて軸方向に伸びる凸部と、背板の背面に設けられ且つ凸部が下方から挿入される挿入口が形成された凸部受部と、凸部受部の上方に設けられ、凸部の先端の動きを許容する空間を備えているので、制御リンクと背板の連結部分の動きの自由度を向上させることができる。また、構成部品の点数が減少し、これに伴い製造工程も減少するので、製造コストを下げることができる。
【００９０】
さらに、請求項７記載の椅子の背もたれ構造では、背板の上端にサポート部材を回転可能に取り付けると共に、サポート部材と背フレームをリンクによって連結し、背板の屈曲に連動してサポート部材を回転させるようにしているので、椅子の使い勝手を向上させることができる。
【図面の簡単な説明】
【図１】本発明を適用した椅子の背もたれ構造の実施形態の一例を示し、構成部材の位置関係を示す図である。
【図２】同椅子の背もたれ構造を示し、背板を大きく屈曲させた状態の構成部材の位置関係を示す図である。
【図３】同椅子の背もたれ構造の背板を示す背面図である。
【図４】同椅子の背もたれ構造の連結手段を示し、その上方からみた断面図である。
【図５】同連結手段を示し、その側方からみた断面図である。
【図６】同椅子の背もたれ構造の変位手段の第１の例を示し、構成部材の位置関係を示す図である。
【図７】同変位手段を示し、背板を大きく屈曲させた状態の構成部材の位置関係を示す図である。
【図８】同変位手段の角度変化手段を示す斜視図である。
【図９】同椅子の背もたれ構造を適用した椅子に取りつけられているガススプリングを示す平面図である。
【図１０】同ガススプリングを示す側面図である。
【図１１】同椅子の背もたれ構造のカバーを示す背面図である。
【図１２】同カバーを背板に取り付けた様子を示す背面図である。
【図１３】本発明を適用した椅子の背もたれ構造を構成する連結手段の他の実施形態を示す側面図である。
【図１４】同椅子の背もたれ構造の変位手段の第２の例を示し、構成部材の位置関係を示す図である。
【図１５】同変位手段の第２の例を示し、背板を大きく屈曲させた状態の構成部材の位置関係を示す図である。
【図１６】同椅子の背もたれ構造の変位手段の第３の例を示し、構成部材の位置関係を示す図である。
【図１７】同変位手段の第３の例を示し、背板を大きく屈曲させた状態の構成部材の位置関係を示す図である。
【図１８】同椅子の背もたれ構造の変位手段の第４の例を示し、構成部材の位置関係を示す図である。
【図１９】同変位手段の第４の例を示し、背板を大きく屈曲させた状態の構成部材の位置関係を示す図である。
【図２０】本発明を適用した椅子の背もたれ構造の第１の変形例を示す概略構成図である。
【図２１】本発明を適用した椅子の背もたれ構造の第１の変形例を示し、背板の下部を前方に傾動させた様子を示す概略構成図である。
【図２２】図２０の背もたれ構造を適用した椅子の使用状態を示す概略構成図である。
【図２３】同背もたれ構造を適用した椅子の使用状態を示し、背板の下部を前方に傾動させた様子を示す概略構成図である。
【図２４】本発明を適用した椅子の背もたれ構造の第２の変形例を示す概略構成図である。
【図２５】本発明を適用した椅子の背もたれ構造の第２の変形例を示し、背板の下部を前方に傾動させた様子を示す概略構成図である。
【図２６】本発明を適用した椅子の背もたれ構造の第３の変形例を示す概略構成図である。
【図２７】図２６の背もたれ構造を適用した椅子の使用状態を示し、子供が使用する様子を示す概略構成図である。
【図２８】図２６の背もたれ構造を適用した椅子の使用状態を示し、大人が使用する様子を示す概略構成図である。
【図２９】本発明を適用した椅子の背もたれ構造の第４の変形例を示し、ヘッドレストを後方に移動させている状態の構成部材の位置関係を示す図である。
【図３０】同椅子の背もたれ構造の第４の変形例を示し、ヘッドレストを前方に移動させている状態の構成部材の位置関係を示す図である。
【図３１】図２９の背もたれ構造を適用した椅子の使用状態を示し、ヘッドレストを後方に移動させている状態の概略構成図である。
【図３２】同背もたれ構造を適用した椅子の使用状態を示し、ヘッドレストを前方に移動させ、背もたれ全体をリクライニングさせている状態の概略構成図である。
【図３３】背板のスリットに段部を設けた様子を示す背面図である。
【図３４】背板に２本のスリットを設けた様子を示す背面図である。
【図３５】背板に１本のスリットを設けた様子を示す背面図である。
【図３６】本発明を適用した椅子の背もたれ構造を構成する連結手段の別の実施形態を示す側面図である。
【図３７】挿入口の形状と凸部の動きを説明するための概念図である。
【図３８】本発明を適用した椅子の背もたれ構造を構成する連結手段の更に別の実施形態を示す側面図である。
【図３９】本発明を適用した椅子の背もたれ構造の第５の変形例を示し、サポート部材として着座者の肩甲骨の部分から頭部までをサポートするサポート体を備え、このサポート体を後方に移動させている状態の概略構成図である。
【図４０】同椅子の背もたれ構造の第５の変形例を示し、サポート体を前方に移動させ、背もたれ全体をリクライニングさせている状態の概略構成図である。
【図４１】従来の椅子の背もたれ構造を示す側面図である。
【符号の説明】
１　背フレーム
２　背板
２ａ　背板の上部
２ｂ　背板の下部
３　屈曲角度調整機構
４　シャフト（連結点）
５　制御リンク
６　連結手段
７　変位手段
１３　円周部
１４　キャップ（連結部）
１５　軸支手段
１７　アジャストスクリュウ
１８　ねじ孔
１９　角度変化手段
４４　ヘッドレスト（サポート部材）
４５　リンク
５１　凸部
５２　挿入口
５３　凸部受部
５４　空間
５７　サポート体（サポート部材）
【図１】
2004000434.tif 000003
【図２】
2004000434.tif 000004
【図３】
2004000434.tif 000005
【図４】
2004000434.tif 000006
【図５】
2004000434.tif 000007
【図６】
2004000434.tif 000008
【図７】
2004000434.tif 000009
【図８】
2004000434.tif 000010
【図９】
2004000434.tif 000011
【図１０】
2004000434.tif 000012
【図１１】
2004000434.tif 000013
【図１２】
2004000434.tif 000014
【図１３】
2004000434.tif 000015
【図１４】
2004000434.tif 000016
【図１５】
2004000434.tif 000017
【図１６】
2004000434.tif 000018
【図１７】
2004000434.tif 000019
【図１８】
2004000434.tif 000020
【図１９】
2004000434.tif 000021
【図２０】
2004000434.tif 000022
【図２１】
2004000434.tif 000023
【図２２】
2004000434.tif 000024
【図２３】
2004000434.tif 000025
【図２４】
2004000434.tif 000026
【図２５】
2004000434.tif 000027
【図２６】
2004000434.tif 000028
【図２７】
2004000434.tif 000029
【図２８】
2004000434.tif 000030
【図２９】
2004000434.tif 000031
【図３０】
2004000434.tif 000032
【図３１】
2004000434.tif 000033
【図３２】
2004000434.tif 000034
【図３３】
2004000434.tif 000035
【図３４】
2004000434.tif 000036
【図３５】
2004000434.tif 000037
【図３６】
2004000434.tif 000038
【図３７】
2004000434.tif 000039
【図３８】
2004000434.tif 000040
【図３９】
2004000434.tif 000041
【図４０】
2004000434.tif 000042
【図４１】
2004000434.tif 000043